(57)【要約】【課題】共通ユニット構成のシャッタ羽根とＮＤフィルタを各々独立に安定動作可能な光量制御装置、光学装置、および撮像装置を提供すること。【解決手段】開口が形成された地板と、開口を閉鎖する閉鎖状態と開口を開放する開放状態との間を移動可能なシャッタ羽根と、シャッタ羽根に取り付けられた第１のコイルと、開口に進入する進入状態と開口から退避する退避状態との間を移動可能な光量調節羽根と、光量調節羽根に取り付けられた第２のコイルと、第１および第２のコイルに対向するように配置されている磁石と、第１および第２のコイルに電圧を与えることで、シャッタ羽根および光量調節羽根を制御する制御手段と、を有する。【選択図】図５
2016143036.tif 000002
【特許請求の範囲】
【請求項１】
開口が形成された地板と、
前記開口を閉鎖する閉鎖状態と前記開口を開放する開放状態との間を移動可能なシャッタ羽根と、
前記シャッタ羽根に取り付けられた第１のコイルと、
前記開口に進入する進入状態と前記開口から退避する退避状態との間を移動可能な光量調節羽根と、
前記光量調節羽根に取り付けられた第２のコイルと、
前記第１および第２のコイルに対向するように配置されている磁石と、
前記第１および第２のコイルに電圧を与えることで、前記シャッタ羽根および前記光量調節羽根を制御する制御手段と、を有することを特徴とする光量制御装置。
【請求項２】
前記光量調節羽根が前記進入状態において前記シャッタ羽根を前記開放状態から前記閉鎖状態に移動させる際に前記第１のコイルに与えられる電圧は、前記光量調節羽根が前記退避状態において前記シャッタ羽根を前記開放状態から前記閉鎖状態に移動させる際に前記第１のコイルに与えられる電圧よりも高いことを特徴とする請求項１に記載の光量制御装置。
【請求項３】
前記制御手段は、前記シャッタ羽根が前記開放状態であり前記光量調節羽根が前記退避状態である第１の状態と、前記シャッタ羽根が前記開放状態であり前記光量調節羽根が前記進入状態である第２の状態と、前記シャッタ羽根が前記閉鎖状態であり前記光量調節羽根が前記退避状態である第３の状態と、前記シャッタ羽根が前記閉鎖状態であり前記光量調節羽根が前記進入状態である第４の状態と、を保持するように、前記第１および第２のコイルに電圧を与えることを特徴とする請求項１または２に記載の光量制御装置。
【請求項４】
前記制御手段は、前記第１および第２の状態を保持する際に、前記第１および第２のコイルに間欠的に電圧を与えることを特徴とする請求項３に記載の光量制御装置。
【請求項５】
前記制御手段が前記第１および第２のコイルに間欠的に電圧を与えている際に、前記第１および第２のコイルに電圧が与えられていない時間はそれぞれ、前記シャッタ羽根および前記光量調節羽根が動き出す時間よりも短いことを特徴とする請求項４に記載の光量制御装置。
【請求項６】
前記制御手段は、前記第１の状態を保持する際に、前記第１および第２のコイルに互いに異なる位相の電圧を与えることを特徴とする請求項４または５に記載の光量制御装置。
【請求項７】
前記シャッタ羽根および前記光量調節羽根を前記第１から第４の状態となるように移動させる際に前記第１および第２のコイルに与えられる電圧はそれぞれ、前記第１から第４の状態を保持する際に前記第１および第２のコイルに与えられる電圧よりも高いことを特徴とする請求項３から６のいずれか１項に記載の光量制御装置。
【請求項８】
前記第１のコイルは、前記磁石と前記第２のコイルとの間に挟まれるように配置されていることを特徴とする請求項１から７のいずれか１項に記載の光量制御装置。
【請求項９】
前記磁石は、前記地板にインサート成型されていることを特徴とする請求項１から８のいずれか１項に記載の光量制御装置。
【請求項１０】
請求項１から９のいずれか１項に記載の光量制御装置を有することを特徴とする光学装置。
【請求項１１】
請求項１から９のいずれか１項に記載の光量制御装置を有することを特徴とする撮像装置。
【発明の詳細な説明】
【技術分野】
【０００１】
本発明は、デジタルカメラやデジタルビデオ等の撮影装置のシャッタおよびＮＤフィルタの駆動技術に関する。
【背景技術】
【０００２】
特許文献１には、撮影光束を遮光あるいは減光する目的でシャッタおよびＮＤフィルタを共通ユニット内で、共通の駆動手段で時系列に沿って動作させる技術が記載されている。
【先行技術文献】
【特許文献】
【０００３】
【特許文献１】特開２００５−２１５２９０号公報
【発明の概要】
【発明が解決しようとする課題】
【０００４】
しかしながら、最近のデジタルカメラでは、シャッタ羽根とＮＤフィルタを独立して制御することが求められている。
【０００５】
このような課題を鑑みて、本発明は、共通ユニット構成のシャッタ羽根とＮＤフィルタを各々独立に安定動作可能な光量制御装置、光学装置、および撮像装置を提供することを目的とする。
【課題を解決するための手段】
【０００６】
本発明の一側面としての光量制御装置は、開口が形成された地板と、前記開口を閉鎖する閉鎖状態と前記開口を開放する開放状態との間を移動可能なシャッタ羽根と、前記シャッタ羽根に取り付けられた第１のコイルと、前記開口に進入する進入状態と前記開口から退避する退避状態との間を移動可能な光量調節羽根と、前記光量調節羽根に取り付けられた第２のコイルと、
前記第１および第２のコイルに対向するように配置されている磁石と、前記第１および第２のコイルに電圧を与えることで、前記シャッタ羽根および前記光量調節羽根を制御する制御手段と、を有することを特徴とする。
【発明の効果】
【０００７】
本発明によれば、共通ユニット構成のシャッタ羽根とＮＤフィルタを各々独立に安定動作可能な光量制御装置、光学装置、および撮像装置を提供することができる。
【図面の簡単な説明】
【０００８】
【図１】本発明の実施形態に係る撮影装置の概略図である。
【図２】実施例１のシャッタユニットの平面図である。
【図３】実施例１のシャッタユニットの説明図である。
【図４】シャッタユニットの駆動方法を説明するフローチャートである。
【図５】電圧を与えるタイミングを表している図である。
【図６】実施例１のシャッタ羽根駆動コイルおよびＮＤフィルタ駆動コイルの模式図である。
【図７】実施例２のシャッタユニットの平面図である。
【図８】実施例２のシャッタユニットの説明図である。
【発明を実施するための形態】
【０００９】
以下、本発明の実施例について、図面を参照しながら詳細に説明する。各図において、同一の部材については同一の参照番号を付し、重複する説明は省略する。
【実施例１】
【００１０】
図１は、本発明の実施形態に係る撮像装置の概略図である。撮像装置は、レンズ鏡筒（光学装置）１００と、カメラ本体２００を有する。レンズ鏡筒１００は、撮像光学系と、光量制御装置であるシャッタ／ＮＤフィルタ共通ユニット（以下、シャッタユニット）１２を備えている。本実施形態の撮像光学系は、固定レンズ１３ａ、変倍レンズ１３ｂ、ＡＦレンズ１３ｃ、光学ローパスフィルタ１３ｄ、および撮像素子１３ｅで構成される。ＡＦレンズ１３ｃは、ＡＦ駆動ユニット１４により撮影光軸１１に沿って移動可能である。カメラ本体２００の背面には、背面液晶モニタ１５が設けられている。カメラ本体２００に内蔵されるＣＰＵ１６およびドライバ１７は、シャッタユニット１２の駆動制御を行う。
【００１１】
図２は、本実施例のシャッタユニット１２の平面図である。地板１２ａは、中央に開口が形成され、シャッタ羽根１２ｂおよびＮＤフィルタ（光量調節羽根）１２ｇが取り付けられている。シャッタ羽根駆動コイル１２ｄは、保持枠１２ｅにインサート成型されている。保持枠１２ｅは地板１２ａに形成された軸１２ｃに回動可能に支持されており、その腕部がシャッタ羽根１２ｂの孔１２ｆに勘合されている。シャッタ羽根駆動コイル１２ｄは、地板１２ａにインサート成型された永久磁石１２ｏ（図中に網目で図示しているが、実際にはシャッタ羽根駆動コイル１２ｄなどに隠れて見えない）に対向するように配置されている。ＮＤフィルタ駆動コイル１２ｉは、保持枠１２ｊにインサート成型されている。保持枠１２ｊは軸１２ｃに回動可能に支持されており、その腕部がＮＤフィルタ１２ｇの孔１２ｋに勘合されている。ＮＤフィルタ駆動コイル１２ｉは、シャッタ羽根駆動コイル１２ｄを介して永久磁石１２ｏに対向するように配置されている。抜け止め部材１２ｈは、保持枠１２ｅ，１２ｊが軸１２ｃから抜けないようにする。駆動制御部１２ｐは、シャッタ羽根駆動コイル１２ｄおよびＮＤフィルタ駆動コイル１２ｉに駆動電圧を与える。
【００１２】
図３（ａ）は、シャッタ羽根１２ｂおよびＮＤフィルタ１２ｇがともに被写体からの撮影光束を遮る状態であるシャッタユニット１２の平面図である。図３（ｂ）は、図３（ａ）のＥ−Ｅ線断面図である。シャッタ羽根駆動コイル１２ｄは、ＮＤフィルタ１２ｇおよびシャッタ羽根１２ｂを介して永久磁石１２ｏに対向している。また、ＮＤフィルタ駆動コイル１２ｉは、シャッタ羽根駆動コイル１２ｄ、ＮＤフィルタ１２ｇ、およびシャッタ羽根１２ｂを介して永久磁石１２ｏに対向している。すなわち、ＮＤフィルタ駆動コイル１２ｉはシャッタ羽根駆動コイル１２ｄに比べて永久磁石１２ｏから離れている。そのため、シャッタ羽根駆動コイル１２ｄとＮＤフィルタ駆動コイル１２ｉに同量の電流を流したとき、ＮＤフィルタ駆動コイル１２ｉに発生する力はシャッタ羽根駆動コイル１２ｄに発生する力よりも小さくなる。本実施例では、ＮＤフィルタ１２ｇはシャッタ羽根１２ｂのような高速動作は求められていないため、シャッタ羽根１２ｂ、ＮＤフィルタ１２ｇに適正な駆動力を与えることが可能となる。また、シャッタ羽根駆動コイル１２ｄとＮＤフィルタ駆動コイル１２ｉを平面方向に重ねてレイアウトすることでシャッタユニット１２の小型化が可能となる。
【００１３】
図４は、シャッタ羽根１２ｂおよびＮＤフィルタ１２ｇの駆動方法を説明するフローチャートである。なお、説明を分かりやすくするために、シャッタユニット１２の動作において本実施例と直接関係ない要素は省略している。また、図５（ａ）、（ｂ）はそれぞれ、ＮＤフィルタ駆動コイル１２ｉ、シャッタ羽根駆動コイル１２ｄに電圧を与えるタイミングを表している。横軸は時間、縦軸は各コイルに与える駆動電圧である。駆動電圧５１ａは被写体が暗いときにＮＤフィルタ駆動コイル１２ｉに与える駆動電圧、駆動電圧５１ｂは被写体が明るいときにＮＤフィルタ駆動コイル１２ｉに与える駆動電圧である。駆動電圧５２ａは被写体が暗いときにシャッタ羽根駆動コイル１２ｄに与える駆動電圧、駆動電圧５２ｂは被写体が明るいときにシャッタ羽根駆動コイル１２ｄに与える駆動電圧である。
【００１４】
シャッタユニット１２の電源オンにより駆動が開始され、ステップ＃４００１では、シャッタ羽根１２ｂおよびＮＤフィルタ１２ｇが電磁的に付勢される。このとき、シャッタ羽根１２ｂは地板１２ａに形成された開口を開放する開放状態、ＮＤフィルタ１２ｇは開口から退避する退避状態となる。すなわち、シャッタ羽根１２ｂおよびＮＤフィルタ１２ｇは、図２に示すように、撮影光路から退避する状態（第１の状態）となる。具体的には、図２において、シャッタ羽根駆動コイル１２ｄには矢印Ａ方向へ電流が流れ、ＮＤフィルタ駆動コイル１２ｉには矢印Ａ方向とは反対方向である矢印Ｂ方向へ電流が流れる。また、永久磁石１２ｏは、シャッタ羽根駆動コイル１２ｄおよびＮＤフィルタ駆動コイル１２ｉに同一方向の磁束を与えている。そのため、シャッタ羽根１２ｂは矢印Ｃ方向へ駆動され、ＮＤフィルタ１２ｇは矢印Ｄ方向へ駆動される。その後、シャッタ羽根１２ｂはストッパ１２ｍに当接し、ＮＤフィルタ１２ｇはストッパ１２ｌに当接する。図５において、時刻ｔ０でシャッタユニット１２が電源オンされ、時刻ｔ１までＮＤフィルタ駆動コイル１２ｉに駆動電圧ｖ１、シャッタ羽根駆動コイル１２ｄに駆動電圧ｖ５を与える。駆動電圧ｖ１，ｖ５はそれぞれ、ＮＤフィルタ１２ｇ、シャッタ羽根１２ｂが摩擦や重力の影響に打ち勝って動きだすのに十分なコイル電流を流す電圧値である。駆動電圧ｖ１，ｖ５を与える時刻ｔ０から時刻ｔ１までの時間は、ＮＤフィルタ１２ｇおよびシャッタ羽根１２ｂが撮影光路から退避するのに十分な時間（例えば、２ｍｓ）である。
【００１５】
ステップ＃４００２では、シャッタユニット１２は被写体の測光を行う。図５において測光を行っている時間、シャッタ羽根１２ｂおよびＮＤフィルタ１２ｇはともに撮影光路から退避する状態となるように電磁的に付勢される。ＮＤフィルタ駆動コイル１２ｉ、シャッタ羽根駆動コイル１２ｄに与える駆動電圧ｖ２，ｖ６は、時刻ｔ０から時刻ｔ１までの時間にシャッタ羽根１２ｂ、ＮＤフィルタ１２ｇに与える駆動電圧ｖ１，ｖ５より低い。これはＮＤフィルタ１２ｇ、シャッタ羽根１２ｂはともに撮影光路から退避しており、その状態を保持する駆動力として各々の静止摩擦に打ち勝つ駆動力は必要としない。さらに、測光の間、ＮＤフィルタ駆動コイル１２ｉおよびシャッタ羽根駆動コイル１２ｄには、図５（ａ），（ｂ）に示すように、互いに位相をずらした間欠的な駆動電圧が与えられる。間欠区間５３は、シャッタ羽根１２ｂおよびＮＤフィルタ１２ｇが動き出す時定数よりも短い時間（例えば、１ｍｓ以下）とする。そのため、間欠区間５３によほど大きな衝撃を受けない限り、シャッタ羽根１２ｂおよびＮＤフィルタ１２ｇが動き出すことはない。上述したように、駆動電圧ｖ２，ｖ６は、駆動電圧ｖ１，ｖ５より小さく、かつ互いに位相をずらして間欠的に与えられているので、この時間の消費電力を少なくすることが可能となる。
【００１６】
ステップ＃４００３では、ステップ＃４００２の測光結果に基づいて撮影光束の取り込み時にＮＤフィルタ１２ｇが必要か否かを判定する。例えば、被写体が非常に明るく、設定してある露光時間では露出がオーバーになる場合はステップ＃４００４に進み、被写体が暗い場合はステップ＃４０１２に進む。
【００１７】
ステップ＃４００４では、ＮＤフィルタ駆動コイル１２ｉにステップ＃４００１で流れた電流と逆方向へ電流を流すことで、ＮＤフィルタ１２ｇは開口に進入する進入状態となる。このときのシャッタユニット１２の状態が第２の状態である。図５において、時刻ｔ２でＮＤフィルタ駆動コイル１２ｉに駆動電圧ｖ４を与えると、ＮＤフィルタ１２ｇは撮影光路内に挿入される（図６（ａ）の状態）。その後、ＮＤフィルタ１２ｇは、ストッパ１２ｎに当接する。駆動電圧ｖ４は、ＮＤフィルタ１２ｇが摩擦や重力の影響に打ち勝って動きだすのに十分なコイル電流を流す電圧値である。駆動電圧ｖ４を与える時間は、ＮＤフィルタ１２ｇを撮影光路内に挿入するのに十分な時間（例えば、２ｍｓ）とする。
【００１８】
ステップ＃４００５では、ＮＤフィルタ１２ｇが撮影光路内に挿入された状態を保持するために、ＮＤフィルタ駆動コイル１２ｉに駆動電圧ｖ３を与える。図５に示すように、駆動電圧ｖ３は、駆動電圧ｖ４より低い。また、ＮＤフィルタ駆動コイル１２ｉ、シャッタ羽根駆動コイル１２ｄに与えられる各駆動電圧は、互いに逆位相で間欠的に与えられているので、この時間の消費電力を少なくすることが可能となる。
【００１９】
ステップ＃４００６では、撮影指示が行われたかどうかを判定する。撮影指示が行われた場合はステップ＃４００７に進み、撮影指示が行われない場合は撮影指示が行われるまでステップ＃４００２〜＃４００６を循環して待機する。この待機時間中に被写体が暗くなったときにはステップ＃４００３からステップ＃４０１２に進み、ＮＤフィルタ１２ｇを撮影光路から退避させる。なお、ＮＤフィルタ１２ｇを退避させるときには、撮影光路から退避した状態を保持する駆動電圧よりも高い駆動電圧をＮＤフィルタ駆動コイル１２ｉに与える。また、そのとき駆動される駆動電圧の極性は、ＮＤフィルタ１２ｄを撮影光路内に挿入させるときに与えられる駆動電圧と逆である。
【００２０】
ステップ＃４００７では、ＮＤフィルタ１２ｇが撮影光路内に挿入された状態を保持するように、ＮＤフィルタ駆動コイル１２ｉに駆動電圧を与える。ステップ＃４００５で既にＮＤフィルタ１２ｇが撮影光路内に挿入された状態で保持されているが、撮影中に万一、ＮＤフィルタ１２ｇが動いてしまうと撮影画像が劣化する可能性がある。そのため、ステップ＃４００８で被写体からの入射光の撮像素子１３ｅへの蓄積を行う時間およびその後、シャッタ羽根１２ｂが撮影光路を遮るまで（時刻ｔ３から時刻ｔ５までの時間）は、ＮＤフィルタ駆動コイル１２ｉに駆動電圧ｖ４を与える。駆動電圧ｖ４は、ＮＤフィルタ１２ｇが撮影光路内に挿入された状態を確実に保持するために、駆動電圧ｖ３に比べて高く設定される。
【００２１】
ステップ＃４００８では、被写体からの入射光を電荷として撮像素子１３ｅに蓄積する。被写体の明るさに見合った蓄積時間経過後、ステップ＃４００９に進む。
【００２２】
ステップ＃４００９では、シャッタ羽根１２ｂは開口を閉鎖する閉鎖状態になる。すなわち、シャッタ羽根によって、撮影光束の撮像素子１３ｅへの入射が遮られる。このときのシャッタユニットの状態が第４の状態である（図３の状態）。図５において、時刻ｔ４でシャッタ羽根駆動コイル１２ｄに駆動電圧ｖ９を与える。駆動電圧ｖ９は、シャッタ羽根１２ｂが摩擦や重力の影響に打ち勝って動きだすのに十分なコイル電流を流す電圧値である。駆動電圧ｖ９を与える時刻ｔ４から時刻ｔ５までの時間は、シャッタ羽根１２ｂを撮影光路内に挿入するのに十分な時間（例えば、２ｍｓ）とする。また、シャッタ羽根１２ｂが撮影光路内に挿入された後（図５の時刻ｔ５以降）、ＮＤフィルタ１２ｇが撮影光路内に挿入された状態を保持する力を弱くしても撮影画質には問題がなくなる。そこで、ＮＤフィルタ駆動コイル１２ｉに与える駆動電圧を駆動電圧ｖ３に下げる。駆動電圧ｖ３は、ＮＤフィルタ駆動コイル１２ｉに間欠的に与えられる。
【００２３】
ステップ＃４０１０では、撮像素子１３ｅに蓄積された電荷を画像処理部（不図示）に読み出す。図５の時刻ｔ５から時刻ｔ６までの読み出し時間において、シャッタ羽根１２ｂは撮影光路内に挿入される方向へ付勢されているが、既にシャッタ羽根１２ｂは撮影光路を遮っている。そこで、その状態を保持するためにシャッタ羽根駆動コイル１２ｄに与えられる駆動電圧ｖ７をシャッタ羽根１２ｂが撮影光路内に挿入させる際にシャッタ羽根駆動コイル１２ｄに与える駆動電圧ｖ９より低くする。これにより、消費電力の増加を抑えることが可能となる。
【００２４】
ステップ＃４０１１では、再びシャッタ羽根１２ｂを撮影光路から退避させ、被写体からの撮影光束を撮像素子１３ｅに入射させる。図５において、時刻ｔ６でシャッタ羽根駆動コイル１２ｄに駆動電圧ｖ５を与える。駆動電圧ｖ５を与える時間は、シャッタ羽根１２ｂが撮影光路から退避するのに十分な時間（例えば２ｍｓ）とする。その後、シャッタ羽根駆動コイル１２ｄに与える駆動電圧を駆動電圧ｖ６に下げる。駆動電圧ｖ６は、ＮＤフィルタ駆動コイル１２ｉに与えられる駆動電圧と逆位相で、シャッタ羽根駆動コイル１２ｄに間欠的に与えられる。
【００２５】
ステップ＃４０１２は、ステップ＃４００３で被写体が暗く、ＮＤフィルタ１２ｇが不要であると判定された場合に進むステップである。このとき、ＮＤフィルタ駆動コイル１２ｉにステップ＃４００１で流れた電流と同じ方向へ電流を流すことで、ＮＤフィルタ１２ｇを撮影光路内から退避させる。しかしながら、ＮＤフィルタ１２ｇは既に撮影光路から退避した状態であるため、ＮＤフィルタ駆動コイル１２ｉに与える駆動電圧を高くする必要はなく、測光中の駆動電圧ｖ２と同じでよい。このとき与えられる駆動電圧は、ＮＤフィルタ駆動コイル１２ｉに間欠的に与えられる。
【００２６】
ステップ＃４０１３では、撮影指示が行われたかどうかを判定する。撮影指示が行われた場合はステップ＃４０１４に進み、撮影指示が行われない場合は撮影指示が行われるまでステップ＃４００２，＃４００３，＃４０１２，＃４０１３を循環して待機する。この待機時間中に被写体が明るくなったときにはステップ＃４００３からステップ＃４００４に進み、ＮＤフィルタ１２ｇが撮影光路内に挿入される。なお、ＮＤフィルタ１２ｇが撮影光路内に挿入されるときには、ＮＤフィルタ１２ｇを撮影光路から退避させたとき（図５の時刻ｔ０から時刻ｔ１までの時間）と同様に駆動電圧ｖ１をＮＤフィルタ駆動コイル１２ｉに与える。このとき与えられる駆動電圧の極性は、ＮＤフィルタ１２ｇを撮影光路から退避させるときに与えられる駆動電圧と逆である。
【００２７】
ステップ＃４０１４では、ＮＤフィルタ１２ｇが撮影光路から退避した状態を保持するように、ＮＤフィルタ駆動コイル１２ｉに駆動電圧を与える。ステップ＃４０１２で既にＮＤフィルタ１２ｇが撮影光路から退避した状態で保持されているが、撮影中に万一、ＮＤフィルタ１２ｇが動いてしまうと撮影画像が劣化する可能性がある。そのため、ステップ＃４０１５で被写体からの入射光の撮像素子１３ｅへの蓄積を行う時間およびその後、シャッタ羽根１２ｂが撮影光路を遮るまで（時刻ｔ３から時刻ｔ５までの時間）は、ＮＤフィルタ駆動コイル１２ｉに駆動電圧ｖ１を与える。駆動電圧ｖ１は、ＮＤフィルタ１２ｇが撮影光路から退避した状態を確実に保持するために、駆動電圧ｖ２に比べて高く設定される。
【００２８】
ステップ＃４０１５では、被写体からの入射光を電荷として撮像素子１３ｅに蓄積する。被写体の明るさに見合った蓄積時間経過後、ステップ＃４０１６に進む。
【００２９】
ステップ＃４０１６では、シャッタ羽根１２ｂは閉鎖する閉鎖状態になる。すなわち、シャッタ羽根によって、撮影光束の撮像素子１３ｅへの入射が遮られる。このときのシャッタユニット１２の状態が第３の状態である。図５において、時刻ｔ４でシャッタ羽根駆動コイル１２ｄに駆動電圧ｖ８を与える。駆動電圧ｖ８は、シャッタ羽根１２ｂが摩擦や重力の影響に打ち勝って動きだすのに十分なコイル電流を流す電圧値である。駆動電圧ｖ８を与える時刻ｔ４から時刻ｔ５までの時間は、シャッタ羽根１２ｂが撮影光路を遮るのに十分な時間（例えば、２ｍｓ）とする。また、シャッタ羽根１２ｂが撮影光路を遮った後（図５の時刻ｔ５以降）、ＮＤフィルタ１２ｇが撮影光路から退避した状態を保持する力を弱くしても撮影画質には問題がなくなる。そこで、ＮＤフィルタ駆動コイル１２ｉに与える駆動電圧を駆動電圧ｖ２に下げる。駆動電圧ｖ２は、ＮＤフィルタ駆動コイル１２ｉに間欠的に与えられる。
【００３０】
ここで、図５の時刻ｔ５におけるシャッタ羽根駆動コイル１２ｄに与える電圧をＮＤフィルタ１２ｇが撮影光路内に挿入された場合と撮影光路から退避した場合で異ならせる理由について説明する。
【００３１】
図６は、シャッタ羽根駆動コイル１２ｄおよびＮＤフィルタ駆動コイル１２ｉの模式図である。図６（ａ）は、ＮＤフィルタ１２ｇが進入状態において、シャッタ羽根１２ｂが開放状態から閉鎖状態に移動する際の状態を示している。図６（ｂ）は、ＮＤフィルタ１２ｇが退避状態において、シャッタ羽根１２ｂが開放状態から閉鎖状態に移動する際の状態を示している。
【００３２】
図６（ａ）の状態では、シャッタ羽根１２ｂが矢印Ｆ方向へ移動するにつれて、シャッタ羽根駆動コイル１２ｄはＨ−Ｈ線断面に示されるように矢印Ｊ方向へ移動することでＮＤフィルタ駆動コイル１２ｉに近づく。このとき、永久磁石１２ｏに対してシャッタ羽根駆動コイル１２ｄ、およびＮＤフィルタ駆動コイル１２ｉはともにシャッタ羽根１２ｂおよびＮＤフィルタ１２ｇが撮影光束を遮るように移動する。各コイルに流す電流の方向は逆になるため、シャッタ羽根駆動コイル１２ｄとＮＤフィルタ駆動コイル１２ｉが発生する磁界により互いのコイル間には反発力が発生する。
【００３３】
図６（ｂ）の状態では、図６（ａ）の状態と同様に、シャッタ羽根１２ｂが矢印Ｇ方向へ移動するにつれて、シャッタ羽根駆動コイル１２ｄはＩ−Ｉ線断面に示されるように矢印Ｋ方向へ移動することでＮＤフィルタ駆動コイル１２ｉに近づく。このとき、永久磁石１２ｏに対してシャッタ羽根駆動コイル１２ｄはシャッタ羽根１２ｂが撮影光束を遮るように、ＮＤフィルタ駆動コイル１２ｉはＮＤフィルタ１２ｇが撮影光路から退避するように移動する。各コイルに流す電流の方向は同じになるため、シャッタ羽根駆動コイル１２ｄとＮＤフィルタ駆動コイル１２ｉが発生する磁界により互いのコイル間には引きつけ合う力が発生する。
【００３４】
したがって、図６(ａ)の状態から図３の状態に変化させる場合と図６（ｂ）の状態から図３の状態に変化させる場合ではシャッタ羽根１２ｂに必要な駆動力が異なる。本実施例では、図６（ａ）の状態から図３の状態に変化させるときにシャッタ羽根駆動コイル１２ｄに与える駆動電圧ｖ９を図６（ｂ）の状態から図３の状態に変化させるときにシャッタ羽根駆動コイル１２ｄに与える駆動電圧ｖ８よりも高く設定している。そうすることで、シャッタ羽根１２ｂを安定して駆動させることが可能となる。
【００３５】
また、駆動制御部１２ｐは、測光の間、シャッタ羽根１２ｂおよびＮＤフィルタ１２ｇを撮影光路から退避させるために、シャッタ羽根駆動コイル１２ｄおよびＮＤフィルタ駆動コイル１２ｉには、互いに位相をずらした間欠的な駆動電圧が与えられる。そのため、測光の間の消費電力を少なくすることが可能となる。
【００３６】
以上説明したように、本実施例では、共通ユニット構成のシャッタ羽根とＮＤフィルタを各々独立に安定動作可能な光量制御装置を提供することができる。
【実施例２】
【００３７】
図７は、本実施例のシャッタユニット１２の平面図である。地板１２ａには、シャッタ羽根１２ｂとＮＤフィルタ１２ｇが取り付けられている。シャッタ羽根駆動コイル１２ｄは、実施例１と異なり、シャッタ羽根１２ｂに接着されている。シャッタ羽根１２ｂは、地板１２ａに形成された軸１２ｃに回動可能に支持されている。シャッタ羽根駆動コイル１２ｄは、地板１２ａにインサート成型された永久磁石１２ｏに対向している。ＮＤフィルタ駆動コイル１２ｉは、実施例１と異なり、ＮＤフィルタ１２ｇに接着されている。ＮＤフィルタ１２ｇは、軸１２ｃに回動可能に支持されている。ＮＤフィルタ駆動コイル１２ｉは、永久磁石１２ｏに対向している。抜け止め部材１２ｈは、シャッタ羽根１２ｂとＮＤフィルタ１２ｇが軸１２ｃから抜けないようにする。駆動制御部１２ｐは、シャッタ羽根駆動コイル１２ｄおよびＮＤフィルタ駆動コイル１２ｉに駆動電圧を与える。
【００３８】
図８（ａ）は、シャッタユニット１２のシャッタ羽根１２ｂおよびＮＤフィルタ１２ｇがともに被写体からの撮影光束を遮る状態である。図８（ｂ）は、図８（ａ）のＬ−Ｌ線断面図である。シャッタ羽根駆動コイル１２ｄの巻き線の側面は、永久磁石１２ｏに対向している。
【００３９】
本実施例においても、実施例１で説明したシャッタ羽根１２ｂおよびＮＤフィルタ１２ｇの駆動方法を適用可能である。本実施例においても、図５の時刻ｔ５におけるシャッタ羽根駆動コイル１２ｄに与える電圧をＮＤフィルタ１２ｇが撮影光路内に挿入された場合と撮影光路から退避した場合で異ならせている。そうすることで、シャッタ羽根１２ｂを安定して駆動させることが可能となる。
【００４０】
以上、本発明の好ましい実施形態について説明したが、本発明はこれらの実施形態に限定されず、その要旨の範囲内で種々の変形及び変更が可能である。
【符号の説明】
【００４１】
１２      シャッタユニット（光量制御装置）
１２ａ    地板
１２ｂ    シャッタ羽根
１２ｄ    シャッタ羽根駆動コイル（第１のコイル）
１２ｇ    ＮＤフィルタ（光量調節羽根）
１２ｉ    ＮＤフィルタ駆動コイル（第２のコイル）
１２ｏ    永久磁石（磁石）
１２ｐ    駆動制御部（制御手段）
【図１】
2016143036.tif 000003
【図２】
2016143036.tif 000004
【図３】
2016143036.tif 000005
【図４】
2016143036.tif 000006
【図５】
2016143036.tif 000007
【図６】
2016143036.tif 000008
【図７】
2016143036.tif 000009
【図８】
2016143036.tif 000010